(57)【特許請求の範囲】
【請求項１】
視認方向に応じて異なるｎ種類（ｎ≧３）の画像を表示する電気光学装置であって、
第１の方向および前記第１の方向と交差する第２の方向に沿って配列されており、前記ｎ種類の画像のいずれかに寄与するとともにｎ色の異なる色の光のいずれかを射出するサブ画素と、
前記第１の方向に沿って並び互いに異なる画像に寄与するｎ個の前記サブ画素で構成されるサブ画素群と、を有する電気光学パネルと、
前記電気光学パネルの前記サブ画素から光が射出される側に配置されており、前記サブ画素群毎に同じ画像に寄与する前記サブ画素に対応する位置に設けられた開口部を有する遮光性の光学フィルターと、を備え、
前記第１の方向に沿って並ぶｎ組の前記サブ画素群において、同じ画像に寄与する前記サブ画素は互いに異なる色の光を射出することを特徴とする電気光学装置。
【請求項２】
請求項１に記載の電気光学装置であって、
前記光学フィルターの前記開口部は、前記第２の方向に沿って一列に配列されていることを特徴とする電気光学装置。
【請求項３】
請求項１に記載の電気光学装置であって、
前記光学フィルターの前記開口部は、前記第２の方向において隣り合う行同士で前記サブ画素一つ分ずつ前記第１の方向にずれて配列されていることを特徴とする電気光学装置。
【請求項４】
視認方向に応じて異なるｎ種類（ｎ≧３）の画像を表示する電気光学装置であって、
第１の方向および前記第１の方向と交差する第２の方向に沿って配列されており、前記ｎ種類の画像のいずれかに寄与する光を射出するサブ画素と、
前記第１の方向に沿って並び互いに異なる画像に寄与するｎ個の前記サブ画素で構成されるサブ画素群と、を有する電気光学パネルと、
前記電気光学パネルの前記サブ画素から光が射出される側に配置されており、前記サブ画素群毎に同じ画像に寄与する前記サブ画素に対応する位置に設けられた開口部と、
前記開口部に配置されておりｎ色の異なる色の光のいずれかを透過させるカラーフィルターと、を有する遮光性の光学フィルターと、を備え、
所定の方向に沿って並ぶｎ個の前記開口部に、互いに異なる色の光を透過させる前記カラーフィルターが配置されていることを特徴とする電気光学装置。
【請求項５】
請求項４に記載の電気光学装置であって、
前記光学フィルターの前記開口部は、前記第２の方向において隣り合う行同士で前記サブ画素一つ分ずつ前記第１の方向にずれて配列されており、
前記第１の方向に沿って並ぶｎ個の前記開口部に、互いに異なる色の光を透過させる前記カラーフィルターが配置されていることを特徴とする電気光学装置。
【請求項６】
請求項４に記載の電気光学装置であって、
前記光学フィルターの前記開口部は、前記第２の方向において隣り合う行同士で前記サブ画素一つ分ずつ前記第１の方向にずれて配列されており、
前記第１の方向において隣り合うｎ個の前記開口部に、同一色の光を透過させる前記カラーフィルターが配置されていることを特徴とする電気光学装置。
【請求項７】
請求項１から６のいずれか一項に記載の電気光学装置を備えたことを特徴とする電子機器。
【発明の詳細な説明】
【技術分野】
【０００１】
本発明は、電気光学装置および電子機器に関する。
【背景技術】
【０００２】
２つ以上の異なる視認方向に異なる画像を指向性表示することを目的として、異なる画像の表示に寄与する光が射出される電気光学パネルに重なるように、視差バリアー等の光分離手段が配置された電気光学装置が提案されている（例えば、特許文献１、特許文献２、特許文献３、特許文献４、および特許文献５）。
【０００３】
視差バリアーは、光を遮光する遮光部と光を通過させる開口部とを有しており、例えば、第１の画素から射出された第１の画像の表示に寄与する光を第１の視認方向に向けるとともに、第２の画素から射出された第２の画像の表示に寄与する光を第２の視認方向に向けて、第１の画像と第２の画像とを異なる方向に表示する障壁として機能する。
【先行技術文献】
【特許文献】
【０００４】
【特許文献１】特開２００５−７８０９２号公報
【特許文献２】特開２００５−８６５０６号公報
【特許文献３】特開２００６−１８２８２号公報
【特許文献４】特開２００８−２４２０５５号公報
【特許文献５】特開２００８−８９６３５号公報
【発明の概要】
【発明が解決しようとする課題】
【０００５】
このような視差バリアーが配置された電気光学装置は、指向性表示する画像の数と各画像を構成する色の数とがともに３以上の同じ数である場合でも、異なる画像のそれぞれをカラー表示できることが望ましい。しかしながら、特許文献１、特許文献２、特許文献３、および特許文献４には、指向性表示する画像の数と各画像を構成する色の数とが３以上である電気光学装置の構成は開示されていない。
【０００６】
特許文献５には、３色で構成される画像を３方向に指向性表示することが可能な電気光学装置が開示されている。しかしながら、特許文献５では、指向性表示する画像の数が３以上であるのに対して画像を構成する色の数を１以上としており、画像を構成する色の数と指向性表示する画像の数とがともに３以上の同じ数である場合に適した電気光学装置の構成までは言及されていない。
【課題を解決するための手段】
【０００７】
本発明は、上述の課題の少なくとも一部を解決するためになされたものであり、以下の形態または適用例として実現することが可能である。
【０００８】
［適用例１］本適用例に係る電気光学装置は、視認方向に応じて異なるｎ種類（ｎ≧３）の画像を表示する電気光学装置であって、第１の方向および前記第１の方向と交差する第２の方向に沿って配列されており、前記ｎ種類の画像のいずれかに寄与するとともにｎ色の異なる色の光のいずれかを射出するサブ画素と、前記第１の方向に沿って並び互いに異なる画像に寄与するｎ個の前記サブ画素で構成されるサブ画素群と、を有する電気光学パネルと、前記電気光学パネルの前記サブ画素から光が射出される側に配置されており、前記サブ画素群毎に同じ画像に寄与する前記サブ画素に対応する位置に設けられた開口部を有する遮光性の光学フィルターと、を備え、前記第１の方向に沿って並ぶｎ組の前記サブ画素群において、同じ画像に寄与する前記サブ画素は互いに異なる色の光を射出することを特徴とする。
【０００９】
この構成によれば、電気光学パネルから射出される光を光学フィルターで分離することにより、ｎ（３つ以上）の異なる方向に異なる画像を指向性表示することができる。また、光学フィルターの開口部を通して同じ画像に寄与するｎ個のサブ画素から互いに異なるｎ色の光が射出される。このため、ｎ種類の画像のそれぞれをｎ色の光により構成することができる。これにより、表示する画像の数と各画像を構成する色の数とがともに同じｎ（３つ以上）である場合において、ｎ色の異なる光で構成されるカラー画像をｎの異なる方向に指向性表示することが可能な電気光学装置を提供できる。
【００１０】
［適用例２］上記適用例に係る電気光学装置であって、前記光学フィルターの前記開口部は、前記第２の方向に沿って一列に配列されていてもよい。
【００１１】
この構成によれば、光学フィルターがストライプバリアーである場合において、第１の方向に沿って並ぶサブ画素により異なる画像を構成し異なる方向にカラー表示することができる。
【００１２】
［適用例３］上記適用例に係る電気光学装置であって、前記光学フィルターの前記開口部は、前記第２の方向において隣り合う行同士で前記サブ画素一つ分ずつ前記第１の方向にずれて配列されていてもよい。
【００１３】
この構成によれば、光学フィルターがステップバリアーである場合において、第１の方向に沿って並ぶサブ画素により異なる画像を構成し異なる方向にカラー表示することができる。
【００１４】
［適用例４］本適用例に係る電気光学装置は、視認方向に応じて異なるｎ種類（ｎ≧３）の画像を表示する電気光学装置であって、第１の方向および前記第１の方向と交差する第２の方向に沿って配列されており、前記ｎ種類の画像のいずれかに寄与する光を射出するサブ画素と、前記第１の方向に沿って並び互いに異なる画像に寄与するｎ個の前記サブ画素で構成されるサブ画素群と、を有する電気光学パネルと、前記電気光学パネルの前記サブ画素から光が射出される側に配置されており、前記サブ画素群毎に同じ画像に寄与する前記サブ画素に対応する位置に設けられた開口部と、前記開口部に配置されておりｎ色の異なる色の光のいずれかを透過させるカラーフィルターと、を有する遮光性の光学フィルターと、を備え、所定の方向に沿って並ぶｎ個の前記開口部に、互いに異なる色の光を透過させる前記カラーフィルターが配置されていることを特徴とする。
【００１５】
この構成によれば、電気光学パネルから射出される光を光学フィルターで分離することにより、ｎ（３つ以上）の異なる方向に異なる画像を指向性表示することができる。また、所定の方向に沿って並ぶｎ個の開口部からｎ色の互いに異なる色の光を透過させるカラーフィルターを通して、同じ画像に寄与するサブ画素からの光が射出される。このため、ｎ種類の画像のそれぞれをｎ色の光により構成することができる。これにより、表示する画像の数と各画像を構成する色の数とがともに同じｎ（３つ以上）である場合において、ｎ色の異なる光で構成されるカラー画像をｎの異なる方向に指向性表示することが可能な電気光学装置を提供できる。
【００１６】
［適用例５］上記適用例に係る電気光学装置であって、前記光学フィルターの前記開口部は、前記第２の方向において隣り合う行同士で前記サブ画素一つ分ずつ前記第１の方向にずれて配列されており、前記第１の方向に沿って並ぶｎ個の前記開口部に、互いに異なる色の光を透過させる前記カラーフィルターが配置されていてもよい。
【００１７】
この構成によれば、ステップバリアーの開口部にカラーフィルターが設けられた光学フィルターを通して、第１の方向に沿って並ぶサブ画素により異なる画像を構成し異なる方向にカラー表示することができる。
【００１８】
［適用例５］上記適用例に係る電気光学装置であって、前記光学フィルターの前記開口部は、前記第２の方向において隣り合う行同士で前記サブ画素一つ分ずつ前記第１の方向にずれて配列されており、前記第１の方向において隣り合うｎ個の前記開口部に、同一色の光を透過させる前記カラーフィルターが配置されていてもよい。
【００１９】
この構成によれば、ステップバリアーの開口部にカラーフィルターが設けられた光学フィルターを通して、開口部の配列方向に沿って並ぶサブ画素により異なる画像を構成し異なる方向にカラー表示することができる。
【００２０】
［適用例７］本適用例に係る電子機器は、上記に記載の電気光学装置を備えたことを特徴とする。
【００２１】
この構成によれば、電子機器は、上記の電気光学装置を表示部として有しているので、表示する画像の数と画像を構成する色の数とがともに同じｎ（３つ以上）である場合でも、カラー画像を異なる方向に指向性表示することができる。
【図面の簡単な説明】
【００２２】
【図１】第１の実施形態に係る液晶装置の概略構成を示す図。
【図２】第１の実施形態に係る液晶装置の指向性表示方式を説明する模式図。
【図３】第１の実施形態に係る液晶装置の構成を示す平面図。
【図４】第１の実施形態に係る液晶装置の異なる視認方向における表示を説明する図。
【図５】第２の実施形態に係る液晶装置の構成を示す平面図。
【図６】第２の実施形態に係る液晶装置の異なる視認方向における表示を説明する図。
【図７】第３の実施形態に係る液晶装置の構成を示す平面図である。
【図８】第３の実施形態に係る液晶装置の異なる視認方向における表示を説明する図。
【図９】第４の実施形態に係る電気光学装置としての液晶装置の構成を示す平面図。
【図１０】第４の実施形態に係る液晶装置の異なる視認方向における表示を説明する図。
【図１１】電子機器の一例を示す図。
【図１２】液晶パネルの従来の構成の一例を示す平面図。
【図１３】図１２の液晶パネルを備えた液晶装置の異なる視認方向における表示を説明する図。
【発明を実施するための形態】
【００２３】
以下に、本実施の形態について図面を参照して説明する。なお、参照する各図面において、構成をわかりやすく示すため、各構成要素の層厚や寸法の比率、角度等は適宜異ならせてある。また、参照する各図面において、構成要素を一部省略してある。
【００２４】
（第１の実施形態）
＜液晶装置の概要＞
まず、第１の実施形態に係る電気光学装置としての液晶装置の概要について図を参照して説明する。図１は、第１の実施形態に係る液晶装置の概略構成を示す図である。詳しくは、図１（ａ）は斜視図であり、図１（ｂ）は図１（ａ）中のＡ−Ａ’線に沿った断面図である。
【００２５】
本実施形態に係る電気光学装置は、スイッチング素子としてＴＦＴ（Thin Film Transistor：薄膜トランジスター）素子を備えたアクティブマトリックス型の液晶装置であるとともに、ＴＮ（Twisted Nematic）方式の透過型の液晶装置である。図１に示すように、液晶装置１００は、電気光学パネルとしての液晶パネル１と、光学フィルターとしての視差バリアー５０と、バックライト４６と、を備えている。
【００２６】
視差バリアー５０は、液晶パネル１に対向して配置されている。以下では、液晶パネル１の視差バリアー５０側の方向を「観察側」とも呼び、液晶パネル１の視差バリアー５０とは反対側の方向を「背面側」とも呼ぶ。バックライト４６は、液晶パネル１の背面側に、液晶パネル１に対向して配置されている。視差バリアー５０の観察側には偏光板４５が配置され、液晶パネル１の背面側には偏光板４４が配置されている。
【００２７】
液晶パネル１は、観察側に配置された対向基板３０と、対向基板３０の背面側に対向配置された素子基板１０と、を有している。素子基板１０と対向基板３０とは、枠状のシール剤４１を介して貼り合わされている。素子基板１０、対向基板３０、およびシール剤４１によって囲まれた空間には、液晶層４０が配置されている。
【００２８】
素子基板１０上には、液晶層４０を駆動するためのドライバーＩＣ４２が配置されている。偏光板４４の背面側には、バックライト４６が配置されている。液晶装置１００は、バックライト４６から入射した光を変調し、観察側に射出させることによって、表示領域２において表示を行う。
【００２９】
＜指向性表示方式＞
次に、第１の実施形態に係る液晶装置の指向性表示方式を説明する。図２は、第１の実施形態に係る液晶装置の指向性表示方式を説明する模式図である。なお、図２は、図１（ａ）中のＡ−Ａ’線に沿った断面に対応しているが、図１（ｂ）とは液晶装置１００の観察側と背面側とが反転して図示されている。また、図２では、ここでの説明に必要な構成要素以外は図示を省略している。
【００３０】
図２に示すように、液晶装置１００は、液晶パネル１から射出される光を視差バリアー５０で分離することにより、３つの異なる視認方向に応じて画像Ａ、画像Ｂ、および画像Ｃの３つの異なる画像を指向性表示する電気光学装置である。液晶パネル１は、配列されたサブ画素４を有している。サブ画素４は、液晶パネル１（液晶装置１００）の表示の最小構成単位である。サブ画素４の配列の詳細については後述する。
【００３１】
サブ画素４は、画像Ａ，Ｂ，Ｃのいずれかの画像に寄与する光を射出する。画像Ａを構成する光を射出するサブ画素４をサブ画素４ａとも呼ぶ。同様に、画像Ｂを構成する光を射出するサブ画素４をサブ画素４ｂとも呼び、画像Ｃを構成する光を射出するサブ画素４をサブ画素４ｃとも呼ぶ。なお、構成する画像との対応を区別しない場合は、単にサブ画素４とも呼ぶ。また、順に並ぶ３つのサブ画素４ａ，４ｂ，４ｃを一組として、サブ画素群５とも呼ぶ。
【００３２】
液晶パネル１では、３つの画像Ａ，Ｂ，Ｃを表す画像データがドライバーＩＣ４２（図１（ａ）参照）に入力され、この画像Ａ，Ｂ，Ｃを表す画像データに基づく駆動信号がドライバーＩＣ４２からサブ画素４ａ，４ｂ，４ｃに供給される。これにより、サブ画素４ａ，４ｂ，４ｃから画像Ａ，Ｂ，Ｃを構成する光が観察側、すなわち視差バリアー５０側の方向に射出される。
【００３３】
視差バリアー５０は、液晶パネル１のサブ画素４から光が射出される側に配置されている。視差バリアー５０は、遮光性の光学フィルターであり、遮光部５１と開口部５２とを有している。開口部５２は、サブ画素群５（サブ画素４ａ，４ｂ，４ｃ）毎に１つの割合で設けられている。開口部５２の具体的な配置位置および配置間隔は、サブ画素４の大きさや３つの画像Ａ，Ｂ，Ｃの適視位置等によって適宜設定される。
【００３４】
本実施形態では、液晶装置１００の表示領域２のほぼ中心を通り、液晶装置１００の観察側表面の法線方向に沿った中心線（一点鎖線で示す）上の位置に画像Ｂの適視位置が設定されている。また、中心線に対して斜め右方向の位置に画像Ａの適視位置が設定されており、中心線に対して斜め左方向に画像Ｃの適視位置が設定されている。
【００３５】
開口部５２は、サブ画素４ｂにほぼ対向する位置に配置されている。ただし、中心線から左右方向に離れた位置にあるサブ画素４ｂから射出される光を画像Ｂの適視位置に導くため、開口部５２の配置間隔はサブ画素４ｂの配置間隔よりも若干小さい間隔に設定されている。なお、適視位置は、設計上対応する画像を視認できる最適位置を意味しており、適視範囲は、適視位置を中心として対応する画像を視認できる範囲を意味している。また、隣り合う適視範囲との境界では両方の画像を視認することができる。
【００３６】
液晶装置１００では、サブ画素４ａから射出される光のうち開口部５２を通過する光が、画像Ａの適視位置を中心とする適視範囲に導かれる。また、サブ画素４ｂから射出される光のうち開口部５２を通過する光が、画像Ｂの適視位置を中心とする適視範囲に導かれ、サブ画素４ｃから射出される光のうち開口部５２を通過する光が、画像Ｃの適視位置を中心とする適視範囲に導かれる。
【００３７】
これにより、画像Ａの適視範囲にいる観察者は、各サブ画素４ａから射出される光で構成される画像Ａを視認することができる。また、画像Ｂの適視範囲にいる観察者は各サブ画素４ｂから射出される光で構成される画像Ｂを視認することができ、画像Ｃの適視範囲にいる観察者は各サブ画素４ｃから射出される光で構成される画像Ｃを視認することができる。
【００３８】
＜液晶装置の構成＞
次に、第１の実施形態に係る液晶装置の構成を説明する。図３は、第１の実施形態に係る液晶装置の構成を示す平面図である。詳しくは、図３（ａ）は液晶パネルの拡大平面図であり、図３（ｂ）は視差バリアーの拡大平面図である。
【００３９】
図３（ａ）に示すように、液晶パネル１は、２次元的に配列されたサブ画素４を有している。サブ画素４は、平面形状が矩形であり、短辺と長辺とを有している。サブ画素４の短辺に沿った方向を第１の方向としての行方向と呼び、サブ画素４の長辺に沿った方向を第２の方向としての列方向と呼ぶ。サブ画素４は、行方向および列方向に沿ってマトリックス状に配列されている。隣り合うサブ画素４同士の間には、遮光性の樹脂等からなる遮光層３２が配置されている。つまり、遮光層３２に囲まれた領域がサブ画素４の領域である。
【００４０】
液晶パネル１は、上述の通り３つの異なる画像Ａ，Ｂ，Ｃを構成する光を射出するサブ画素４ａ，４ｂ，４ｃを有している。本実施形態では、サブ画素４ａ，４ｂ，４ｃは、行方向に沿ってこの順で繰り返し配置されている。サブ画素群５は、行方向に沿って順に並ぶ３個のサブ画素４ａ，４ｂ，４ｃで構成される。したがって、サブ画素群５は、行方向に沿って並ぶように配置されている。
【００４１】
また、本実施形態では、列方向に沿って同じ画像に対応するサブ画素４ａ、サブ画素４ｂ、またはサブ画素４ｃが一列にストライプ状に並ぶように配置されている。つまり、サブ画素群５は、行方向および列方向にマトリックス状に配置されている。行方向に沿って並ぶ３組のサブ画素群５を、図中の左から順にサブ画素群５ａ，５ｂ，５ｃとも呼ぶ。
【００４２】
液晶パネル１は、サブ画素４の観察側に、サブ画素４毎に配置された赤（Ｒ）、緑（Ｇ）、青（Ｂ）の３色の異なる色のカラーフィルターを有している。本実施形態では、列方向に沿って、Ｒ，Ｇ，Ｂのカラーフィルターのいずれかが一列にストライプ状に並ぶように配置される。また、行方向に沿っては、Ｒ，Ｇ，Ｂのカラーフィルターがサブ画素群５ａ，５ｂ，５ｃに対応して以下のように配置される。
【００４３】
サブ画素群５ａでは、サブ画素４ａ，４ｂ，４ｃにＲ，Ｇ，Ｂのカラーフィルターがそれぞれ対応して配置される。サブ画素群５ｂでは、サブ画素４ａ，４ｂ，４ｃにＧ，Ｂ，Ｒのカラーフィルターがそれぞれ対応して配置される。サブ画素群５ｃでは、サブ画素４ａ，４ｂ，４ｃにＢ，Ｒ，Ｇのカラーフィルターがそれぞれ対応して配置される。つまり、行方向に沿ってＲ，Ｇ，Ｂ，Ｇ，Ｂ，Ｒ，Ｂ，Ｒ，Ｇの順で繰り返しカラーフィルターが配置されている。これにより、行方向に沿って並ぶ３組のサブ画素群５ａ，５ｂ，５ｃでは、サブ画素４ａ，４ｂ，４ｃとＲ，Ｇ，Ｂのカラーフィルターとの対応がそれぞれ異なっている。
【００４４】
Ｒ，Ｇ，Ｂのカラーフィルターは、それぞれＲ，Ｇ，Ｂの３色の異なる色の光を選択的に透過させる。サブ画素４ａには、配置されるＲ，Ｇ，Ｂのカラーフィルターに対応して、画像Ａを構成するＲ，Ｇ，Ｂの各色の画像データに基づく駆動信号が供給される。同様に、サブ画素４ｂ，４ｃには、配置されるＲ，Ｇ，Ｂのカラーフィルターに対応して、画像Ｂ，Ｃを構成するＲ，Ｇ，Ｂの各色の画像データに基づく駆動信号が供給される。これにより、各サブ画素４ａ，４ｂ，４ｃからＲ，Ｇ，Ｂの３色の異なる色のいずれかの光が射出される。
【００４５】
したがって、行方向に沿って並ぶ３組のサブ画素群５ａ，５ｂ，５ｃにおいて、同じ画像Ａに寄与する３つのサブ画素４ａから、互いに異なるＲ，Ｇ，Ｂの３色の光が射出される。同様に、サブ画素群５ａ，５ｂ，５ｃにおいて、画像Ｂに寄与する３つのサブ画素４ｂから互いに異なるＲ，Ｇ，Ｂの３色の光が射出され、画像Ｃに寄与する３つのサブ画素４ｃから互いに異なるＲ，Ｇ，Ｂの３色の光が射出される。
【００４６】
Ｒ，Ｇ，Ｂの光を射出するサブ画素４ａを、それぞれサブ画素４ａ（Ｒ），４ａ（Ｇ），４ａ（Ｂ）とも呼ぶ。同様に、Ｒ，Ｇ，Ｂの光を射出するサブ画素４ｂを、それぞれサブ画素４ｂ（Ｒ），４ｂ（Ｇ），４ｂ（Ｂ）とも呼び、Ｒ，Ｇ，Ｂの光を射出するサブ画素４ｃを、それぞれサブ画素４ｃ（Ｒ），４ｃ（Ｇ），４ｃ（Ｂ）とも呼ぶ（図４（ａ）、（ｂ）、（ｃ）参照）。このように、液晶パネル１は、液晶装置１００が表示する画像の数（３）に各画像を構成する色の数（３）を乗じた９種類のサブ画素４を有している。
【００４７】
図３（ｂ）に示すように、視差バリアー５０の開口部５２は、サブ画素群５毎に一つの割合で設けられており、サブ画素４ｂに対応する位置に配置されている。遮光部５１は、サブ画素４ａ，４ｃに対応する位置に配置されている。視差バリアー５０は、開口部５２が列方向に沿って一列にストライプ状に並ぶように配置された、所謂ストライブバリアーである。視差バリアー５０を基準にすれば、液晶パネル１のサブ画素群５（サブ画素４ａ，４ｂ，４ｃ）は、開口部５２の配列に対応して配置されているとも言うことができる。
【００４８】
＜画像表示＞
次に、第１の実施形態に係る液晶装置の異なる視認方向における表示を説明する。図４は、第１の実施形態に係る液晶装置の異なる視認方向における表示を説明する図である。詳しくは、図４（ａ）は画像Ａの適視位置において視差バリアー５０を通して視認される表示を示し、図４（ｂ）は画像Ｂの適視位置において視差バリアー５０を通して視認される表示を示し、図４（ｃ）は画像Ｃの適視位置において視差バリアー５０を通して視認される表示を示している。
【００４９】
図４（ａ）に示すように、画像Ａの適視位置では、行方向に沿って並ぶ３組のサブ画素群５ａ，５ｂ，５ｃ毎に、サブ画素４ａ（Ｒ），４ａ（Ｇ），４ａ（Ｂ）から射出される光が開口部５２を通過する。そして、サブ画素４ａ（Ｒ），４ａ（Ｇ），４ａ（Ｂ）から射出される３つの異なる色の光で、画像Ａの表示単位となる画素６ａが構成される。これにより、画像Ａの適視位置において、各画素６ａで構成される画像Ａが視認される。
【００５０】
図４（ｂ）に示すように、画像Ｂの適視位置では、行方向に沿って並ぶ３組のサブ画素群５ａ，５ｂ，５ｃ毎に、サブ画素４ｂ（Ｒ），４ｂ（Ｇ），４ｂ（Ｂ）から射出される光が開口部５２を通過する。そして、サブ画素４ｂ（Ｒ），４ｂ（Ｇ），４ｂ（Ｂ）から射出される３つの異なる色の光で、画像Ｂの表示単位となる画素６ｂが構成される。これにより、画像Ｂの適視位置において各画素６ｂで構成される画像Ｂが視認される。
【００５１】
図４（ｃ）に示すように、画像Ｃの適視位置では、行方向に沿って並ぶ３組のサブ画素群５ａ，５ｂ，５ｃ毎に、サブ画素４ｃ（Ｒ），４ｃ（Ｇ），４ｃ（Ｂ）から射出される光が開口部５２を通過する。そして、サブ画素４ｃ（Ｒ），４ｃ（Ｇ），４ｃ（Ｂ）から射出される３つの異なる色の光で、画像Ｃの表示単位となる画素６ｃが構成される。これにより、画像Ｃの適視位置において各画素６ｃで構成される画像Ｃが視認される。
【００５２】
このように、液晶装置１００では、３つの異なる画像Ａ，Ｂ，Ｃの表示単位となる画素６ａ，６ｂ，６ｃが、行方向に並ぶ３組のサブ画素群５ａ，５ｂ，５ｃ毎に、９種類のサブ画素４、すなわち３つの異なる色の光を射出するサブ画素４ａ，４ｂ，４ｃで構成される。液晶装置１００では、各画素６ａ，６ｂ，６ｃにおいてこれら９種類のサブ画素４のそれぞれの輝度を適宜変えることで、各画像Ａ，Ｂ，Ｃについてカラー表示を行うことができる。
【００５３】
ここで、比較として、指向性表示を行う液晶装置の従来の構成の一例について説明する。図１２は、液晶パネルの従来の構成の一例を示す平面図である。図１３は、図１２の液晶パネルを備えた液晶装置の異なる視認方向における表示を説明する図である。
【００５４】
図１２に示す液晶パネル３は、行方向に沿ってＲ，Ｇ，Ｂのカラーフィルターが順に繰り返し配置された構成を有している。従来の液晶装置では、このようにＲ，Ｇ，Ｂのカラーフィルターが順に繰り返し配置された液晶パネル３のような構成が用いられることが多い。液晶装置が、例えば異なる２つの画像の指向性表示を行うのであれば、このような構成の液晶パネル３でも２つの画像のカラー表示を行うことができる。
【００５５】
しかしながら、このような構成の液晶パネル３で３つの異なる画像のカラー表示を行おうとすると、所望の表示が得られない場合がある。例えば、図１２に示す液晶パネル３では、行方向に配置されたサブ画素群５のいずれにおいても、Ｒ，Ｇ，Ｂのカラーフィルターが同じ並び順で配置される構成となる。したがって、いずれのサブ画素群５においても、サブ画素４ａにはＲのカラーフィルターが配置され、サブ画素４ｂにはＧのカラーフィルターが配置され、サブ画素４ｃにはＢのカラーフィルターが配置されることとなる。
【００５６】
このため、図１３（ａ）に示すように、画像Ａの適視位置では、サブ画素４ａ（Ｒ）から射出されるＲの光が視認されるが、Ｇ，Ｂの光は視認されない。図１３（ｂ）に示すように、画像Ｂの適視位置では、サブ画素４ｂ（Ｇ）から射出されるＧの光が視認されるが、Ｒ，Ｂの光は視認されない。また、図１３（ｃ）に示すように、画像Ｃの適視位置では、サブ画素４ｃ（Ｂ）から射出されるＢの光が視認されるが、Ｒ，Ｇの光は視認されない。この結果、画像Ａ，Ｂ，Ｃはともに単色表示となり、カラー表示が得られないこととなる。
【００５７】
本実施形態に係る液晶装置１００では、行方向に沿って並ぶ３組のサブ画素群５ａ，５ｂ，５ｃにおいて、画像Ａに寄与する３つのサブ画素４ａ、画像Ｂに寄与する３つのサブ画素４ｂ、および画像Ｃに寄与する３つのサブ画素４ｃ、のそれぞれから互いに異なるＲ，Ｇ，Ｂの３色の光が射出される。このため、３種類の異なる画像のそれぞれを３色の異なる光により構成することができる。これにより、各画像Ａ，Ｂ，Ｃをカラーで指向性表示することが可能な液晶装置１００を提供できる。
【００５８】
（第２の実施形態）
＜液晶装置の構成＞
次に、第２の実施形態に係る電気光学装置としての液晶装置の構成について図を参照して説明する。第２の実施形態に係る液晶装置は、第１の実施形態に係る液晶装置に対して、サブ画素の配列および視差バリアーの開口部の配列が異なっているが、その他の構成は同じである。第１の実施形態と共通する構成要素については、同一の符号を付しその説明を省略する。
【００５９】
図５は、第２の実施形態に係る液晶装置の構成を示す平面図である。詳しくは、図５（ａ）は第２の実施形態に係る液晶パネルの拡大平面図であり、図５（ｂ）は第２の実施形態に係る視差バリアーの拡大平面図である。第２の実施形態に係る液晶装置２００は、図５（ａ）、（ｂ）に示すように、液晶パネル１の代わりに液晶パネル１１を、視差バリアー５０の代わりに視差バリアー５４を備えている。
【００６０】
図５（ａ）に示すように、液晶パネル１１では、行方向に沿って順に並ぶ３つのサブ画素４ａ，４ｂ，４ｃで構成されるサブ画素群５ａ，５ｂ，５ｃが行方向に沿って繰り返し配列されている。しかしながら、隣り合う行同士では、サブ画素群５ａ，５ｂ，５ｃ（サブ画素４ａ，４ｂ，４ｃ）がサブ画素４一つ分ずつ行方向にずれて配置されており、この点が第１の実施形態に係る液晶パネル１と異なっている。
【００６１】
また、液晶パネル１１では、第１の実施形態に係る液晶パネル１と同様に、行方向に沿ってＲ，Ｇ，Ｂ，Ｇ，Ｂ，Ｒ，Ｂ，Ｒ，Ｇの順でカラーフィルターが繰り返し配列されており、列方向に沿ってＲ，Ｇ，Ｂのカラーフィルターのいずれかが一列に並ぶように配列されている。このため、液晶パネル１１では、行方向に沿って並ぶ３組のサブ画素群５ａ，５ｂ，５ｃにおけるサブ画素４ａ，４ｂ，４ｃとＲ，Ｇ，Ｂのカラーフィルターとの対応が、隣り合う行同士で異なっている。
【００６２】
ここで、サブ画素群５ａ（サブ画素４ａ，４ｂ，４ｃ）と隣り合う行で同じ列に位置するサブ画素群５をサブ画素群５ｄ（サブ画素４ｃ，４ａ，４ｂ）とし、さらにサブ画素群５ｄと隣り合う行で同じ列に位置するサブ画素群５をサブ画素群５ｅ（サブ画素４ｂ，４ｃ，４ａ）とする。列方向に沿って一列に並ぶ３組のサブ画素群５ａ，５ｄ，５ｅでは、サブ画素４ａ，４ｂ，４ｃとＲ，Ｇ，Ｂのカラーフィルターとの対応がそれぞれ異なっている。
【００６３】
図５（ｂ）に示すように、視差バリアー５４は、遮光部５５と開口部５６とを有している。開口部５６は、サブ画素群５毎に一つの割合で設けられており、サブ画素４ｂに対応して配置されている。開口部５６は、隣り合う列同士でサブ画素４一つ分ずつ列方向にずれて配置されている。開口部５６は、隣り合う行同士でサブ画素４一つ分ずつ行方向にずれて配置されているとも言える。視差バリアー５４は、開口部５６が行方向および列方向に対して斜め方向に配列された所謂ステップバリアーであり、この点が第１の実施形態に係る視差バリアー５０と異なっている。
【００６４】
＜画像表示＞
次に、第２の実施形態に係る液晶装置の異なる視認方向における表示を説明する。図６は、第２の実施形態に係る液晶装置の異なる視認方向における表示を説明する図である。詳しくは、図６（ａ）は画像Ａの適視位置において視差バリアー５４を通して視認される表示を示し、図６（ｂ）は画像Ｂの適視位置において視差バリアー５４を通して視認される表示を示し、図６（ｃ）は画像Ｃの適視位置において視差バリアー５４を通して視認される表示を示している。
【００６５】
図６（ａ）に示すように、画像Ａの適視位置では、行方向に沿って並ぶ３組のサブ画素群５ａ，５ｂ，５ｃの中でサブ画素４ａ（Ｒ），４ａ（Ｇ），４ａ（Ｂ）から射出される３色の光により、画像Ａの表示単位となる画素６ａが構成される。また、本実施形態では、列方向に沿って並ぶ３組のサブ画素群５ａ，５ｄ，５ｅの中のサブ画素４ａ（Ｒ），４ａ（Ｇ），４ａ（Ｂ）から射出される３色の光によっても画素６ａが構成される。
【００６６】
図６（ｂ）に示すように、画像Ｂの適視位置では、行方向に沿って並ぶ３組のサブ画素群５ａ，５ｂ，５ｃの中でサブ画素４ｂ（Ｇ），４ｂ（Ｂ），４ｂ（Ｒ）から射出される３色の光により、画像Ｂの表示単位となる画素６ｂが構成される。また、本実施形態では、列方向に沿って並ぶ３組のサブ画素群５ａ，５ｄ，５ｅの中のサブ画素４ｂ（Ｇ），４ｂ（Ｂ），４ｂ（Ｒ）から射出される３色の光によっても画素６ｂが構成される。
【００６７】
図６（ｃ）に示すように、画像Ｃの適視位置では、行方向に沿って並ぶ３組のサブ画素群５ａ，５ｂ，５ｃの中でサブ画素４ｃ（Ｂ），４ｃ（Ｒ），４ｃ（Ｇ）から射出される３色の光により、画像Ｃの表示単位となる画素６ｃが構成される。また、本実施形態では、列方向に沿って並ぶ３組のサブ画素群５ａ，５ｄ，５ｅの中のサブ画素４ｃ（Ｂ），４ｃ（Ｒ），４ｃ（Ｇ）から射出される３色の光によっても画素６ｃが構成される。
【００６８】
このように、本実施形態に係る液晶装置２００では、第１の実施形態に係る液晶装置１００と同様に、３つの異なる画像Ａ，Ｂ，Ｃの表示単位となる画素６ａ，６ｂ，６ｃが、行方向に並ぶ３組のサブ画素群５ａ，５ｂ，５ｃ毎に、３つの異なる色の光を射出するサブ画素４ａ，４ｂ，４ｃで構成される。これにより、各画像Ａ，Ｂ，Ｃをカラーで指向性表示することができる。
【００６９】
さらに、液晶装置２００では、画素６ａ，６ｂ，６ｃが、列方向に沿って並ぶ３組のサブ画素群５ａ，５ｄ，５ｅ毎にも構成される。したがって、液晶装置２００の構成によれば、液晶装置１００に比べて、行方向における実質的な解像度を向上させるとともに、行方向および列方向におけるバランスを向上させて、画素６ａ，６ｂ，６ｃを構成できる。これにより、液晶装置２００において表示する各画像Ａ，Ｂ，Ｃの画質を、液晶装置１００に比べて向上させることができる。
【００７０】
（第３の実施形態）
＜液晶装置の構成＞
次に、第３の実施形態に係る液晶装置の構成について図を参照して説明する。第３の実施形態に係る液晶装置は、上記実施形態に係る液晶装置に対して、視差バリアーの開口部にカラーフィルターが設けられている点が異なっているが、その他の構成は同じである。上記実施形態と共通する構成要素については、同一の符号を付しその説明を省略する。
【００７１】
図７は、第３の実施形態に係る液晶装置の構成を示す平面図である。詳しくは、図７（ａ）は液晶パネルの拡大平面図であり、図７（ｂ）は視差バリアーの拡大平面図である。
【００７２】
第３の実施形態に係る液晶装置３００は、図７（ａ）、（ｂ）に示すように、液晶パネル２１と視差バリアー６０とを備えている。
【００７３】
図７（ａ）に示すように、液晶パネル２１は、第２の実施形態に係る液晶パネル１１と同様に、行方向に沿って順に並ぶ３つのサブ画素４ａ，４ｂ，４ｃで構成されるサブ画素群５が行方向に沿って繰り返し配列されている。また、隣り合う行同士では、サブ画素群５（サブ画素４ａ，４ｂ，４ｃ）がサブ画素４一つ分ずつ行方向にずれて配置されている。ただし、液晶パネル２１にはカラーフィルターが設けられておらず、この点が第２の実施形態に係る液晶パネル１１と異なっている。
【００７４】
図７（ｂ）に示すように、視差バリアー６０は、遮光部６１と開口部６２とを有している。視差バリアー６０は、第２の実施形態に係る視差バリアー５４と同様に、開口部６２がサブ画素群５毎に一つの割合で設けられており行方向および列方向に対して斜め方向に配列された、ステップバリアーである。ただし、開口部６２にはＲ，Ｇ，Ｂのカラーフィルターのいずれかが設けられており、この点が第２の実施形態に係る視差バリアー５４と異なっている。
【００７５】
開口部６２に配置されたＲ，Ｇ，Ｂのカラーフィルターのそれぞれを、カラーフィルター６２Ｒ，６２Ｇ，６２Ｂと呼ぶ。行方向に沿って並ぶ開口部６２には、カラーフィルター６２Ｒ，６２Ｇ，６２Ｂがこの順で配置されている。また、斜め方向に並ぶ開口部６２には、カラーフィルター６２Ｒ，６２Ｇ，６２Ｂのうちいずれか同一色のカラーフィルターが配置されている。
【００７６】
＜画像表示＞
次に、第３の実施形態に係る液晶装置の異なる視認方向における表示を説明する。図８は、第３の実施形態に係る液晶装置の異なる視認方向における表示を説明する図である。詳しくは、図８（ａ）は画像Ａの適視位置において視差バリアー６０を通して視認される表示を示し、図８（ｂ）は画像Ｂの適視位置において視差バリアー６０を通して視認される表示を示し、図８（ｃ）は画像Ｃの適視位置において視差バリアー６０を通して視認される表示を示している。
【００７７】
図８（ａ）に示すように、画像Ａの適視位置では、行方向に沿って並ぶ３組のサブ画素群５の中のサブ画素４ａから射出され、行方向に沿って並ぶカラーフィルター６２Ｒ，６２Ｇ，６２Ｂを透過した３色の光により、画像Ａの表示単位となる画素６ａが構成される。画素６ａは、隣り合う行同士ではサブ画素４一つ分ずつ行方向にずれて配置される。
【００７８】
図８（ｂ）に示すように、画像Ｂの適視位置では、行方向に沿って並ぶ３組のサブ画素群５の中のサブ画素４ｂから射出され、行方向に沿って並ぶカラーフィルター６２Ｒ，６２Ｇ，６２Ｂを透過した３色の光により、画像Ｂの表示単位となる画素６ｂが構成される。画素６ｂは、隣り合う行同士ではサブ画素４一つ分ずつ行方向にずれて配置される。
【００７９】
図８（ｃ）に示すように、画像Ｃの適視位置では、行方向に沿って並ぶ３組のサブ画素群５の中のサブ画素４ｃから射出され、行方向に沿って並ぶカラーフィルター６２Ｒ，６２Ｇ，６２Ｂを透過した３色の光により、画像Ｃの表示単位となる画素６ｃが構成される。画素６ｃは、隣り合う行同士ではサブ画素４一つ分ずつ行方向にずれて配置される。
【００８０】
本実施形態の液晶装置３００では、３つの異なる画像Ａ，Ｂ，Ｃの表示単位となる画素６ａ，６ｂ，６ｃが、行方向に並ぶ３組のサブ画素群５毎に、各３つのサブ画素４ａ，４ｂ，４ｃから射出されカラーフィルター６２Ｒ，６２Ｇ，６２Ｂを透過した光により構成される。これにより、第１の実施形態の液晶装置１００と同様に、各画像Ａ，Ｂ，Ｃをカラーで指向性表示することができる。
【００８１】
（第４の実施形態）
＜電気光学装置の構成＞
次に、第４の実施形態に係る電気光学装置としての液晶装置の構成について図を参照して説明する。第４の実施形態に係る液晶装置は、第３の実施形態に係る液晶装置に対して、視差バリアーの開口部に設けられたカラーフィルターの配置が異なっているが、その他の構成は同じである。上記実施形態と共通する構成要素については、同一の符号を付しその説明を省略する。
【００８２】
図９は、第４の実施形態に係る電気光学装置としての液晶装置の構成を示す平面図である。詳しくは、図９（ａ）は液晶パネルの拡大平面図であり、図９（ｂ）は視差バリアーの拡大平面図である。第４の実施形態に係る液晶装置４００は、図９（ａ）に示す第３の実施形態に係る液晶装置３００と同じ液晶パネル２１と、図９（ｂ）に示す視差バリアー６４とを備えている。
【００８３】
図９（ｂ）に示すように、視差バリアー６４は、遮光部６１と開口部６５とを有している。視差バリアー６４は、第３の実施形態に係る視差バリアー６０と同様に、開口部６５がサブ画素群５毎に一つの割合で設けられており行方向および列方向に対して斜めに配列された、ステップバリアーである。ただし、開口部６５に設けられたＲ，Ｇ，Ｂのカラーフィルター６５Ｒ，６５Ｇ，６５Ｂの配置が第３の実施形態に係る視差バリアー６０と異なっている。
【００８４】
視差バリアー６４では、行方向に沿って並ぶ開口部６５に、カラーフィルター６５Ｒ，６５Ｇ，６５Ｂのいずれか同一色のカラーフィルターが配置されている。また、斜め方向に並ぶ開口部６５には、カラーフィルター６５Ｒ，６５Ｇ，６５Ｂがこの順で繰り返し配置されている。
【００８５】
＜画像表示＞
次に、第４の実施形態に係る液晶装置の異なる視認方向における表示を説明する。図１０は、第４の実施形態に係る液晶装置の異なる視認方向における表示を説明する図である。詳しくは、図１０（ａ）は画像Ａの適視位置において視差バリアー６４を通して視認される表示を示し、図１０（ｂ）は画像Ｂの適視位置において視差バリアー６４を通して視認される表示を示し、図１０（ｃ）は画像Ｃの適視位置において視差バリアー６４を通して視認される表示を示している。
【００８６】
本実施形態では、列方向に隣り合う３組のサブ画素群５（９つのサブ画素４）毎に、画像Ａ，Ｂ，Ｃの表示単位となる画素６ａ，６ｂ，６ｃが構成される。列方向に隣り合う３組のサブ画素群５とは、図９（ａ）に示すサブ画素群５ｆ，５ｇ，５ｈのような位置関係にあるサブ画素群５を指す。すなわち、サブ画素群５ｇは、サブ画素群５ｆの隣りの行にサブ画素群５ｆに対してサブ画素４一つ分行方向にずれて位置しており、サブ画素群５ｈは、サブ画素群５ｇの隣りの行にサブ画素群５ｇに対してサブ画素４一つ分行方向にずれて位置している。
【００８７】
図１０（ａ）に示すように、画像Ａの適視位置では、列方向に隣り合う３組のサブ画素群５の中のサブ画素４ａから射出され、行方向および列方向に対して斜めに配列されたカラーフィルター６５Ｒ，６５Ｇ，６５Ｂを透過した３色の光により、画像Ａの表示単位となる画素６ａが構成される。画素６ａは、行方向に沿って並んで配置される。
【００８８】
図１０（ｂ）に示すように、画像Ｂの適視位置では、列方向に隣り合う３組のサブ画素群５の中のサブ画素４ｂから射出され、行方向および列方向に対して斜めに配列されたカラーフィルター６５Ｒ，６５Ｇ，６５Ｂを透過した３色の光により、画像Ｂの表示単位となる画素６ｂが構成される。画素６ｂは、行方向に沿って並んで配置される。
【００８９】
図１０（ｃ）に示すように、画像Ｃの適視位置では、列方向に隣り合う３組のサブ画素群５の中のサブ画素４ｃから射出され、行方向および列方向に対して斜めに配列されたカラーフィルター６５Ｒ，６５Ｇ，６５Ｂを透過した３色の光により、画像Ｃの表示単位となる画素６ｃが構成される。画素６ｃは、行方向に沿って並んで配置される。
【００９０】
また、本実施形態では、互いに隣り合う３行×３列のサブ画素４毎に画素６ａ，６ｂ，６ｃが構成される、と言うこともできる。互いに隣り合う３行×３列のサブ画素４とは、図９（ａ）に示すサブ画素群５ｆの３列のサブ画素４ａ，４ｂ，４ｃと同じ列であって、サブ画素群５ｆの隣の行に位置するサブ画素４ｃ，４ａ，４ｂ、および、さらに隣の行に位置するサブ画素４ｂ，４ｃ，４ａのような位置関係にあるサブ画素４を指す。
【００９１】
本実施形態に係る液晶装置４００では、３つの異なる画像Ａ，Ｂ，Ｃの表示単位となる画素６ａ，６ｂ，６ｃが、列方向に隣り合う３組のサブ画素群５毎に、各３つのサブ画素４ａ，４ｂ，４ｃから射出されカラーフィルター６５Ｒ，６５Ｇ，６５Ｂを透過した光により構成される。これにより、第１の実施形態に係る液晶装置１００および第３の実施形態に係る液晶装置３００と同様に、各画像Ａ，Ｂ，Ｃをカラーで指向性表示することができる。
【００９２】
また、液晶装置４００では、各画素６ａ，６ｂ，６ｃ構成する各３つのサブ画素４ａ，４ｂ，４ｃが斜め方向に配置されるので、各画素６ａ，６ｂ，６ｃを行方向および列方向におけるバランスを向上させて配置できる。これにより、液晶装置４００では、液晶装置１００および液晶装置３００に比べて、表示する各画像Ａ，Ｂ，Ｃの画質を向上させることができる。
【００９３】
（電子機器）
図１１は、電子機器の一例を示す図である。上述した液晶装置１００，２００，３００，４００は、例えば、図１１に示すような電子機器としてのカーナビゲーションシステム用の表示装置５００に搭載して用いることができる。この表示装置５００は、表示部５１０に組み込まれた液晶装置１００，２００，３００，４００によって、表示する画像の数と画像を構成する色の数とがともに同じｎ（３つ以上）である場合でも、カラー画像を異なる方向に指向性表示することができる。例えば、運転席側、助手席側、および後部座席側の３方向に３つの異なる画像をカラー表示することができる。
【００９４】
なお、液晶装置１００，２００，３００，４００は、上記表示装置５００の他、モバイルコンピューター、デジタルカメラ、デジタルビデオカメラ、車載機器、オーディオ機器等の各種電子機器に用いることができる。
【００９５】
以上、本発明の実施形態について説明したが、上記実施形態に対しては、本発明の趣旨から逸脱しない範囲で様々な変形を加えることができる。変形例としては、例えば以下のようなものが考えられる。
【００９６】
（変形例１）
上記実施形態では、３色の異なる光により構成された３種類の異なる画像を表示する場合を例に説明したが、この形態に限定されない。４色以上の異なる光により構成された４種類以上の異なる画像を表示するようにしてもよい。
【００９７】
例えば、４色の異なる光により構成された４種類の異なる画像を表示する場合、第１の実施形態および第２の実施形態の液晶装置の構成であれば、互いに異なる画像に寄与する４つのサブ画素で構成される４組のサブ画素群を構成した液晶パネルで、これら４組のサブ画素群において同じ画像に寄与するサブ画素から互いに異なる４色の光を射出させるようにすればよい。
【００９８】
また、第３の実施形態および第４の実施形態の液晶装置の構成であれば、互いに異なる画像に寄与する４つのサブ画素で構成される４組のサブ画素群を構成した液晶パネルに、所定の方向に沿って並ぶ４つの開口部に互いに異なる４色のカラーフィルターを配置した視差バリアーを組み合わせるようにすればよい。
【００９９】
このように４色以上の異なる光により構成された４種類以上の異なる画像を表示する構成であっても、上記実施形態の液晶装置の構成を適用して、異なる画像のカラー表示を行うことができる。
【０１００】
（変形例２）
上記の実施形態では、液晶装置はＴＮ方式の透過型の液晶装置であったが、この形態に限定されない。液晶装置は、ＴＮ方式と同様に素子基板と対向基板との間に生じる縦電界により液晶分子の配向制御を行う、ＶＡ（Vertical Alignment）方式やＥＣＢ（Electrically Controlled Birefringence）方式等の液晶装置であってもよい。また、液晶装置は、横電界により液晶分子の配向制御を行う、ＦＦＳ（Fringe-Field Switching）方式やＩＰＳ（In-Plane Switching）方式の液晶装置であってもよい。さらに、液晶装置は、透過表示領域と反射表示領域とを有する半透過反射型の液晶装置であってもよい。これらの液晶装置であっても、上記実施形態の液晶装置の構成を適用することができる。
【０１０１】
（変形例３）
上記の実施形態では、電気光学装置は液晶装置であったが、この形態に限定されない。電気光学装置は、有機エレクトロルミネセンス素子（有機ＥＬ素子）を備えた有機エレクトロルミネセンス装置（有機ＥＬ装置）やプラズマ表示素子を備えたプラズマディスプレイ装置等であってもよい。これらの電気光学装置であっても、上記実施形態の電気光学装置の構成を適用することができる。
【符号の説明】
【０１０２】
１，１１，２１…電気光学パネルとしての液晶パネル、４，４ａ，４ｂ，４ｃ…サブ画素、５，５ａ，５ｂ，５ｃ，５ｄ，５ｅ，５ｆ，５ｇ，５ｈ…サブ画素群、５０，５４，６０，６４…光学フィルターとしての視差バリアー、５２，５６，６２，６５…開口部、６２Ｒ，６２Ｇ，６２Ｂ，６５Ｒ，６５Ｇ，６５Ｂ…カラーフィルター、１００，２００，３００，４００…電気光学装置としての液晶装置、５００…電子機器としてのカーナビゲーションシステム用の表示装置。
【図１】
0005381423.tif 000002
【図２】
0005381423.tif 000003
【図３】
0005381423.tif 000004
【図４】
0005381423.tif 000005
【図５】
0005381423.tif 000006
【図６】
0005381423.tif 000007
【図７】
0005381423.tif 000008
【図８】
0005381423.tif 000009
【図９】
0005381423.tif 000010
【図１０】
0005381423.tif 000011
【図１１】
0005381423.tif 000012
【図１２】
0005381423.tif 000013
【図１３】
0005381423.tif 000014